(57)【要約】【課題】アキュムレータに流入する冷媒の液分離機能を高め、コンプレッサの圧縮要素への液冷媒流入防止機能を向上させること。【解決手段】アキュムレータ７上部の吸入管２と、最下部より容器内部上方まで立ち上がる冷媒吐出用の吐出管３ａ、３ｂとの間に設けられている、複数孔６を有するバッフルプレート５について、バッフルプレートの孔６の設けられていない中央部５ａを２シリンダ形コンプレッサにも対応できるよう、２本の吐出管上端の開口部を覆うように、楕円形状の領域で盛り上げた構成とした。【選択図】図１
2005164109.tif 000002
【特許請求の範囲】
【請求項１】
筒状密閉容器の上部中央に冷媒を吸入する吸入管を、最下部より前記容器を貫通し内部上方まで立ち上がる冷媒吐出用の吐出管を１本以上と、前記吸入管と吐出管上端との間に複数の孔を有するバッフルプレートとを設けているアキュムレータにおいて、前記バッフルプレートの孔の空いていない中央部を前記吐出管上端の開口部を覆うように、楕円形状の領域で盛り上げたことを特徴とするアキュムレータ。
【請求項２】
筒状密閉容器の上部中央に冷媒を吸入する吸入管を、最下部より前記容器を貫通し内部上方まで立ち上がる冷媒吐出用の吐出管を１本以上と、前記吸入管と吐出管上端との間に複数の孔を有するバッフルプレートとを設けているアキュムレータにおいて、前記バッフルプレートの孔の空いていない中央部を前記吐出管上端の開口部を覆うように、四角形に類する形状の領域で盛り上げたことを特徴とするアキュムレータ。
【発明の詳細な説明】
【技術分野】
【０００１】
本発明は、空気調和機等の冷凍装置に使用されるアキュムレータに関し、アキュムレータに吸込んだ液冷媒を１シリンダ形だけでなく、２シリンダ形のロータリコンプレッサの圧縮要素にも吸入し難くしたアキュムレータに関するものである。
【背景技術】
【０００２】
従来のアキュムレータの構造としては、図８及び図９に示すように、上下の端に大きな丸みを持たせた絞り形状をもつ筒状密閉容器１と、その上部中央に冷媒を吸入する吸入管２、最下部より容器を貫通し内部上方まで立ち上がる冷媒吐出用の吐出管３ａ、３ｂが設けられ、さらに吸入管２と吐出管３ａ、３ｂ上端との間に、上側にメッシュ状で凸面形のフィルタ４と、下側に吐出管３ａ、３ｂ上端の開口部３ｃが重なる位置にらないよう設けられた複数の孔６３を有するバッフルプレート５３が設けられている。
【０００３】
以上のような構造により筒状密閉容器１、上部中央の吸入管２より流入した冷媒は、フィルタ４により冷媒に混入しているゴミ等の異物が除去され、次にバッフルプレート５３に当たり、バッフルプレート５３に設けられた孔６３を通過することでガス冷媒と液冷媒に分離される。吐出管３ａ、３ｂ上端の開口部３ｃにはガス冷媒のみが流入し、液冷媒は密閉容器１下部に溜まり、気化後に吐出管３ａ、３ｂの開口部３ｃより流入される。
【０００４】
図８のに記載された２シリンダ形ロータリコンプレッサのアキュムレータでは、吐出管３ａ、３ｂの開口部３ｃ端面を、それぞれの中心軸線に対して傾斜して開口させている。これにより、前記の液分離機能に影響を与えることなく、さらに騒音の低減を図ることができる構成となっている（例えば、特許文献１参照）。
【特許文献１】特開２００３−２２７４８６号公報
【発明の開示】
【発明が解決しようとする課題】
【０００５】
しかしながら上記、特許文献１記載の２シリンダ形ロータリコンプレッサのアキュムレータでは、バッフルプレート５３の形状が１シリンダ形ロータリコンプレッサのアキュムレータと同様であるため、孔６３が配されていないバッフルプレート中央部５３ａの盛り上がり領域が吐出管１本用に対応しており、２シリンダ形ロータリコンプレッサ用の吐出管３ａ、３ｂの２本の場合には、バッフルプレート中央部５３ａの盛り上がり領域が小さく、盛り上がった中央部５３ａで吐出管３ａ、３ｂ開口部３ｃを覆うようにバッフルプレート５３の配置ができず、吐出管３ａ、３ｂの開口部３ｃ周りに最適な冷媒の吸入空間を保つため、等でバッフルプレート５３を上方もしくは、吐出管３ａ、３ｃを下方に離して距離を取らなければならない。この場合、距離を取った分だけ液分離機能の低下が考えられ、また、吐出管３ａ、３ｂの長さを短かくした場合はアキュムレータの有効受液体積も減少するため、さらに液分離機能の悪化になる可能性があるという課題を有していた。
【０００６】
またアキュムレータ内での圧力損失低減や冷媒流速の急変動低減のために吐出管３ａ、３ｂ上端の開口部３ｃ面積を拡大する場合においても吐出管３ａ、３ｂの径の拡大、および吐出管３ａ、３ｂの開口部３ｃ端面を、それぞれの中心軸線に対して傾斜して開口させる等の構成では、さらに液分離機能の悪化の可能性が考えられ特性改善をする上でも課題を有していた。
【０００７】
本発明は、前記従来の課題を解決するもので、従来の騒音等の特性を確保しつつ、液分離機能を向上させることができるコンプレッサ用アキュムレータを提供することを目的と
している。
【課題を解決するための手段】
【０００８】
前記従来の課題を解決するために、本発明のアキュムレータは、バッフルプレートの孔の設けられていない中央部を２シリンダ形コンプレッサにも対応できるよう、２本の吐出管上端の開口部を覆うように、楕円形状もしくは四角形に類するの形状の領域で盛り上げた構成となっている。
【０００９】
これによって、１本もしくは２本の吐出管上端の開口部は楕円形状もしくは四角形に類する形状の領域で盛り上げられた凸形状の傘で完全に覆われるかたちとなり、最適な空間容積を保ちつつ、位置的にもバッフルプレートに近づけることができ、液分離機能を向上させることができると共に、吐出管の径拡大等による開口部面積の従来（開口部を傾斜断面にした面積拡大）比、同等確保が容易となり、従来同等の冷媒の圧力損失低減および、急激な断面積変化に伴う流速変化による騒音低減効果を得ることができる。
【発明の効果】
【００１０】
本発明のアキュムレータは、前記構成を有し、アキュムレータに流入する冷媒の液分離機能を高め、コンプレッサの圧縮要素への液冷媒流入防止機能を向上させることができる。
【発明を実施するための最良の形態】
【００１１】
以下、本発明の実施の形態を、図面を参照しながら説明する。
【００１２】
図７は、アキュムレータ付き縦型２シリンダ形ロータリーコンプレッサを示す図である。図７において、８が縦型２シリンダ形ロータリコンプレッサであって、密閉容器内には、下方に回転により冷媒ガスを圧縮するロータリ式の圧縮要素と、上方にその圧縮要素を回転駆動する電動要素とを配置している。
【００１３】
７がアキュムレータであって、取付金具９によって、ロータリコンプレッサ８の側壁に立てて固定され、アキュムレータ７は吸入管２から吸入された冷媒をガス冷媒と液冷媒に分離し吐出管３ａ、３ｂよりガス冷媒を圧縮要素へ送りこんでいる。
【００１４】
（実施の形態１）
図１は、本発明の実施の形態１におけるアキュムレータの縦断面図、図２は図１におけるＡ方向から見たバッフルプレートと吐出管開口部の位置関係図である。
【００１５】
図１に示すように、筒状密閉容器１には、その上部には冷媒を吸入する吸入管２と、最下部より容器１を貫通し内部上方まで立ち上がる冷媒吐出用の吐出管３ａ、３ｂを有し、さらに吸入管２と吐出管３ａ、３ｂ上端との間には、上側にフィルタ４と、下側に複数の孔６を有するバッフルプレート５が設けられており、バッフルプレート５は、孔６の設けられていない中央部５ａを２シリンダ形コンプレッサにも対応できるよう、２本の吐出管３ａ、３ｂ上端の開口部３ｃを覆うように、楕円形状の領域で盛り上げた構成としている。
【００１６】
かかる構成によれば、１本もしくは２本の吐出管３上端の開口部３ｃは楕円形状の領域で盛り上げられた凸形状の傘に完全に覆われるかたちとなり、吐出管３ａ、３ｂの冷媒吸入に最適な空間容積を保ちつつ、位置的にバッフルプレート５に近づけることができ液分離機能を向上させることができると共に、吐出管３ａ、３ｂの径拡大等による、従来同等の開口部３ｃ面積確保が容易となり、従来同等の冷媒の圧力損失低減および、急激な断面積変化に伴う流速変化による騒音低減効果を得ることができる。
【００１７】
なお前記、実施の形態は吐出管３が２本の２シリンダ形のタイプのものであるが、これに限定されるものではなく、吐出管３が１本の１シリンダ形のタイプの場合においても同様な効果作用を得ることができる。
【００１８】
（実施の形態２）
図３は、本発明第２の実施形態におけるアキュムレータの縦断面図、図４は図３におけるＡ方向から見たバッフルプレートと吐出管開口部の位置関係図である。
【００１９】
図３および図４に示すように、バッフルプレート５１以外は実施の形態１と同一構成で、バッフルプレート５１は孔６の設けられていない中央部５１ａを２シリンダ形コンプレッサにも対応できるよう、２本の吐出管３ａ、３ｂ上端の開口部３ｃを覆うように、四角形上に類する形状の領域で盛り上げた構成としている。
【００２０】
かかる構成によれば、１本もしくは２本の吐出管３上端の開口部３ｃは長方形の領域で盛り上げられた凸形状の傘に完全に覆われるかたちとなり、実施の形態１の作用効果と同様な効果を得ることができる。
【００２１】
（実施の形態３）
なお前記、図４のバッフルプレート５１の中心部５１ａは、長方形であるが、これに限定されるものではなく、図５及び図６のように菱形においても同様な作用効果を得ることができる。また、ここでも吐出管３が２本の２シリンダ形のタイプのものを例にしているが、これに限定されるものではなく、吐出管３が１本の１シリンダ形のタイプの場合においても同様な効果作用を得ることができる。
【産業上の利用可能性】
【００２２】
本発明のアキュムレータは、２シリンダ形、１シリンダ形に関わらずアキュムレータを有する、あらゆるコンプレッサに適応が可能である。
【図面の簡単な説明】
【００２３】
【図１】本発明第１の実施形態におけるアキュムレータの縦断面図
【図２】図１におけるＡ方向から見たバッフルプレートと吐出管開口部の位置関係図
【図３】本発明第２の実施形態におけるアキュムレータの縦断面図
【図４】図３におけるＡ方向から見たバッフルプレートと吐出管開口部の位置関係図
【図５】本発明第２の実施形態におけるアキュムレータの縦断面図
【図６】図５におけるＡ方向から見たバッフルプレートと吐出管開口部の位置関係図
【図７】従来のアキュムレータ付き縦型２シリンダ形ロータリーコンプレッサを示す図
【図８】従来のコンプレッサ用アキュムレータの縦断面図
【図９】図８におけるＡ方向から見たバッフルプレートと吐出管開口部の位置関係図
【符号の説明】
【００２４】
１      筒状密閉容器
２      吸入管
３ａ    吐出管
３ｂ    吐出管
３ｃ    吐出管開口部
４      フィルター
５      バッフルプレート
５ａ    バッフルプレート中央部
６      孔
７      アキュムレータ
８      縦型２シリンダ形ロータリコンプレッサ
９      取付金具
【図１】
2005164109.tif 000003
【図２】
2005164109.tif 000004
【図３】
2005164109.tif 000005
【図４】
2005164109.tif 000006
【図５】
2005164109.tif 000007
【図６】
2005164109.tif 000008
【図７】
2005164109.tif 000009
【図８】
2005164109.tif 000010
【図９】
2005164109.tif 000011